(57)【特許請求の範囲】
【請求項１】
落雷測定装置とデータ収集器とを備える落雷情報収集システムであって、
前記落雷測定装置は、複数台がそれぞれ異なる測定箇所に取り付けられ、そこの導体に流れる落雷電流をコイルによって検出し、落雷時刻を含む落雷に関する情報を取得する手段を備え、
前記データ収集器は、それぞれの落雷測定装置に接続する手段と、前記落雷測定装置が取得したデータを収集する手段とを備え、
前記落雷測定装置の落雷電流の検出コイルは、前記導体に近接され、前記導体に流れる落雷電流により生じる磁束の方向にコイル軸を向けた姿勢にして配設され、
前記検出コイルは、同じ形状で同じ巻き数の２つの検出用コイルから構成され、
前記２つの検出用コイルは、同じ姿勢で、かつ前記導体からの相対距離を所定寸法ずらした状態にして配設され、
前記落雷測定装置は、
前記２つの検出用コイルに誘起される誘起起電力による前記落雷電流の立上り時間に対しＲＣの時定数を十分大きくしたＲＣ充電回路の充電電圧をそれぞれ測定する手段と、
２つの検出用コイルから得られた前記充電電圧の比より、前記検出用コイルのいずれか一方と前記導体間との距離を演算する手段と、
前記距離と、いずれか一方の検出用コイルに誘起された誘起起電力によるＲＣ充電回路の充電電圧とによって、前記導体に流れる落雷電流を演算する手段と、備えることを特徴とする落雷情報収集システム。
【請求項２】
落雷測定装置とデータ収集器とを備える落雷情報収集システムであって、
前記落雷測定装置は、複数台がそれぞれ異なる測定箇所に取り付けられ、そこの導体に流れる落雷電流をコイルによって検出して、落雷時刻を含む落雷に関する情報を取得する手段を備え、
前記データ収集器は、それぞれの落雷測定装置に接続する手段と、前記落雷測定装置が取得したデータを収集する手段とを備え、
前記落雷測定装置は、
前記導体に近接され、その導体に流れる落雷電流により生じる磁束の方向にコイル軸を向けた姿勢にして配設される落雷電流の検出コイルと、
前記検出コイルに誘起される誘起起電力による前記落雷電流の立上り時間に対しＲＣの時定数を十分大きくしたＲＣ充電回路の充電電圧を測定する手段と、
得られた前記データと前記導体−検出用コイル間の既知の距離データとによって、前記導体に流れる落雷電流を演算する手段と、を備えることを特徴とする落雷情報収集システム。
【請求項３】
請求項１に記載の落雷情報収集システムにおいて、
前記２つの検出用コイルは、前記導体に、より近接する側から「コイル１、コイル２」として配設され、
前記２つの検出用コイルのそれぞれに誘起される誘起起電力による前記落雷電流の立上り時間に対しＲＣの時定数を十分大きくしたＲＣ充電回路の充電電圧について、「コイル１の値−コイル２の値」が、所定値より小さいかどうかが判断され、
小さい場合には、電流測定の対象となる導体を流れる電流以外の影響を受けていると判断し、測定を行わないとする手段を、備えることを特徴とする落雷情報収集システム。
【発明の詳細な説明】
【技術分野】
【０００１】
本発明は、落雷(雷撃)を検知してデータを取得するためのシステム(装置)にかかり、より詳細には、送配電用鉄塔や電線などを有する電力供給設備や関連する電気機器などに落雷があったときに、その落雷電流(サージ電流、雷撃電流)の検出と測定とを行い、落雷に関する情報やデータを得ることができるシステム(装置)に関するものである。
【背景技術】
【０００２】
従来の雷サージ検出装置としては、電流センサとしてロゴスキーコイルを用いたものがあり、この装置では、その出力(一次側である雷電流の微分波形電圧)を積分回路・実効値回路を介して、雷電流波形電圧を取り出し、１００ＭＨｚといった高速のＡＤ変換素子によって波形をデジタル化し、ＣＰＵ制御でメモリに記憶する。こうした処理によって、雷撃電流波形(型式によっては雷撃電流ピーク値のみ)や雷撃回数などを計測することができる。
【０００３】
このようなロゴスキーコイルを用いた装置は、1)外部磁界の影響を受けない、2)高周波特性に優れる、3)一次側導体の位置や傾きが正確にコイルの中心軸に無くても精度がよい、4)分割構造化が容易、などといった優れた特性があるので、雷電流観測に一般的に用いられている。
【０００４】
しかしながら、従来型のロゴスキーコイルを用いた雷撃電流の観測装置では、観測箇所を送電線鉄塔としたときには、その鉄塔部材の大きさに対応した大型のロゴスキーコイルが必要となり、また、雷撃現象に対応した高速の応答が可能なフルスペックの回路素子構成（ＡＤ変換素子、ＣＰＵ、メモリ）による比較的大きな基板が必要であり、さらに、それらの素子には、高速・大容量でグレードの高いものが要求される。このため、ロゴスキーコイルによる雷撃電流の観測装置は、比較的大型となって費用が大変高くつくものになるという問題点がある。
【０００５】
また、ロゴスキーコイルによる従来型の装置では、突然の雷撃に対応するためには、スリープモード(省電力モード)の使用が不可能となる。すなわち、スリープモード状態のＣＰＵが起動するのにｍｓオーダーの時間が必要なので、起動するまでにμｓオーダーの雷撃現象は終了してしまうためである。さらに、回路が複雑になるので、通常、小電力で動作させることは困難であり、電源としてＡＣ電源か、大型のバッテリーが必要となる。
【０００６】
本発明のような雷撃を検知して計測するための技術分野に関連した特許文献としては、次のようなものがある。
【特許文献１】特開２００５−６２０８０号公報（東光電気の出願）
【特許文献２】特開平０８−１５４４８号公報（サンコーシャの出願）
【発明の開示】
【発明が解決しようとする課題】
【０００７】
上述のように、ロゴスキーコイルなどを用いた従来型の雷撃電流の観測装置では、小型・軽量・安価な装置とすることが難しく、比較的大型でかなり高価な装置にならざるを得ないという問題点がある。このため、雷撃の観測地点を多く設定したくとも、コスト面から見て、十分な装置を設置することができないという問題点があった。
本発明の落雷情報収集システムでは、小型・軽量・安価で性能的にも優れた装置(システム)を提供することを課題としている。
【課題を解決するための手段】
【０００８】
（１）落雷測定装置とデータ収集器とを備える落雷情報収集システムであって、
前記落雷測定装置は、複数台がそれぞれ異なる測定箇所に取り付けられ、そこの導体に流れる落雷電流をコイルによって検出し、落雷時刻を含む落雷に関する情報を取得する手段を備え、
前記落雷測定装置の落雷電流の検出コイルは、前記導体に近接され、前記導体に流れる落雷電流により生じる磁束の方向にコイル軸(巻回されたコイルの中心軸、図５参照)を向けた姿勢にして配設され、
前記検出コイルは、同じ形状で同じ巻き数の２つの検出用コイルから構成され、
前記２つの検出用コイルは、同じ姿勢で、かつ前記導体からの相対距離を所定寸法ずらした状態にして配設され、
前記落雷測定装置は、
前記２つの検出用コイルに誘起される誘起起電力によるＲＣ充電回路の充電電圧をそれぞれ測定する手段と、
２つの検出用コイルから得られた前記充電電圧の比より、前記検出用コイルのいずれか一方と前記導体間との距離を演算する手段と、
前記距離と、いずれか一方の検出用コイルに誘起された誘起起電力によるＲＣ充電回路の充電電圧とにより、前記導体に流れる落雷電流を演算する手段と、備えることを特徴とする落雷情報収集システム。
【０００９】
（２）落雷測定装置とデータ収集器とを備える落雷情報収集システムであって、
前記落雷測定装置は、複数台がそれぞれ異なる測定箇所に取り付けられ、そこの導体に流れる落雷電流をコイルによって検出して、落雷時刻を含む落雷に関する情報を取得する手段を備え、
前記落雷測定装置は、
前記導体に近接され、前記導体に流れる落雷電流により生じる磁束の方向にコイル軸を向けた姿勢にして配設される落雷電流の検出コイルと、
前記検出コイルに誘起される誘起起電力によるＲＣ充電回路の充電電圧を測定する手段と、
得られた前記測定データと前記導体−検出用コイル間の既知の距離データとにより、前記導体に流れる落雷電流を演算する手段と、を備えることを特徴とする落雷情報収集システム。
【００１０】
（３）(１)に記載の落雷情報収集システムにおいて、
前記２つの検出用コイルは、前記導体に、より近接する側から「コイル１、コイル２」として配設され、
前記２つの検出用コイルのそれぞれに誘起される誘起起電力によるＲＣ充電回路の充電電圧について、「コイル１の値−コイル２の値」が、所定電圧値より小さいかどうかが判断され、小さい場合には、電流測定の対象となる導体を流れる電流以外の影響を受けていると判断し、測定を行わないとする手段を、備える。
【発明の効果】
【００１１】
本発明の落雷情報収集システムによれば、各装置の構成は簡明であって、且つ小型で安価な部材や回路等を用いて製作できる。従って、本発明により、小型、軽量、安価で且つ性能的にも優れた落雷情報収集システムまたは装置を提供することができる。また、本発明の落雷情報収集システムは、落雷検出時の電流検出機能や時刻記憶機能などを持っており、落雷時の有効な情報やデータの取得ができ、その分析や解析において有効に活用することができる。
【発明を実施するための最良の形態】
【００１２】
以下に本発明の一実施の形態にかかる落雷情報収集システムについて、添付の図面を参照して説明する。
図１は、本発明による落雷情報収集システムの一実施形態にかかる図であり、本システムで用いられる発明落雷測定装置１００とデータ収集器２００とを示す。まず図１(１ａ)は、落雷測定装置１００が測定箇所に取り付けられた状態にある例であって、つぎの図１(１ｂ)は、その落雷測定装置１００が落雷を検出して、内蔵していた表示物１２(表示バー)を突出または垂下させて、落雷があったことを表示している例を示す図である。
【００１３】
本発明による落雷測定装置１００は、複数台すなわち通常は多数台が用意されて、それぞれ異なる測定箇所に取り付けられる落雷検出のためのユニットである。ここでの測定箇所とは、落雷して雷サージ電流が流れる可能性がある電力供給用の鉄塔や構造物、落雷の虞がある一般の建造物などであって、落雷の検出や測定のためには、通常は多くの測定箇所が選定されている。
本落雷測定装置１００は、そのような測定箇所となる導体部材３０(図１では例えば送電用鉄塔の主柱材)において、本体部１０（ケース）の側面から突設された取り付け部１１を介して、取り付け用のベルト部材３１によって所定位置に配設される。
【００１４】
また、本発明による落雷測定装置１００は、その導体部材３０に流れる落雷電流をコイルによって検出して、雷撃電流値(落雷の大きさ)・落雷時刻・回数などを含む落雷に関する情報(落雷情報)を取得する手段を備え、また、この落雷を視覚的に報知するための落雷表示手段を備える。ここで得られた落雷情報のデータは、落雷測定装置１００の内部に記憶，保管されるが、本体正面に設けられたコネクタ部１３(データ取り出し部)に接続することによって、装置外へ取り出すことができる。なお、このコネクタ部１３は、落雷測定装置１００が設置された状態では、防塵や防水などのために、保護体１３ａによって覆われて内部が保護されており、この保護体１３ａはチェーン１３ｂに連結されて、本体の側面に固着されている。
【００１５】
図１(２)は、本発明によるデータ収集器の一例を示す図である。このデータ収集器２００は、携帯に便利な筐体またはケース体からなる本体２０と、ここから延出される接続ケーブル２３とその端部のコネクタ部２４とを備え、また、本体２０は表示画面２１と複数の入力キー部２２を備える。
図１(３)は、データ収集器２００を落雷測定装置１００に接続させて、その内部に記憶保管された落雷に関するデータの取り出しを行う状況を示す図であり、このときは、データ収集器２００のコネクタ部２４と落雷測定装置１００のコネクタ部１３とを機械的に連結させて接続を行っている。
【００１６】
ここでのデータ収集器２００は、内部には制御部、メモリ部、内蔵時計（カレンダー／日付機能を含む）、電源(電池)などを備え、外面側には表示画面２１と入力キー部２２とを備え、落雷測定装置１００に保管されていたデータを取り出して保管する手段、落雷測定装置１００内の保管されていたデータを消去したり調整したりする手段、落雷測定装置１００の内蔵された時計機能を調整する手段、落雷測定装置１００から得られたデータを他のパソコン等に移送する手段などを備えている。データ収集器２００の操作は、表示画面２１と入力キー部２２とを用いて行うが、落雷測定装置１００から得られた雷撃電流値・雷撃時刻・雷撃回数などの落雷情報を、本体２０の表示画面２１において表示させることもできる。
【００１７】
図２は、本発明による落雷測定装置の一実施形態における動作原理を示すための概念図である。ここでの落雷測定装置の落雷電流の検出コイルは、導体に近接されて、導体に流れる雷サージ電流(落雷電流)により生じる磁束の方向に、巻回されたコイルの中心軸すなわちコイル軸(図５のＣa)を向けた姿勢にして配設され、この検出コイルは、同じ形状で同じ巻き数の２つの検出用コイルから構成され、これら２つの検出用コイルは、同じ姿勢で、かつ前記導体からの相対距離を所定寸法ずらした状態にして配設されている。そして、２つの検出用コイルに誘起される誘起起電力によるＲＣ充電回路の充電電圧をそれぞれ測定して、得られた２つの検出用コイルの充電電圧の比より、検出用コイルのいずれか一方と前記導体間との距離を演算することができ、得られた距離と、いずれか一方の検出用コイルに誘起された誘起起電力によるＲＣ充電回路の充電電圧とにより、前記導体に流れる落雷電流を演算することができる。
【００１８】
図２の構成をより具体的に述べれば、ここでの落雷測定装置は、落雷電流測定回路として空芯コイル２個（電流計測コイル１とコイル２）を並べて配置する構造を有し、雷サージ電流(落雷電流)が進む方向に近い側のコイル１が、雷サージ電流から直角に離れた距離「ｒ」の位置に配置されている。そして、２個の空芯コイルに接続された２つのＲＣ回路（抵抗ＲとコンデンサＣとを含む充電回路１と２）を充電させ、その充電電圧（ＶＣ１とＶＣ２）をピークホールド回路で計測し、得られたデータは装置内に記憶される。
すなわち、本落雷測定装置では、雷サージ電流が所定の導体内を通過すると、２つのコイルと雷サージ電流の通過位置との距離の違いから、充電電圧のＶＣ１とＶＣ２とに差が生じることとなり、この差から雷撃電流値を逆算してこれを利用するものである。
【００１９】
本発明による落雷測定装置の構造は、ＲＣ充電回路を用いてコンデンサの充電電圧の測定で計測しているので、高速のＡＤ変換素子の必要はなく、回路を極めて簡略化することができる。ロゴスキーコイルなどは用いておらず、コストの安い部品類を用いての製造が可能となるので、製品の低コスト化に大いに貢献できる。そして、落雷時には雷サージ電流が流れる現象は非常に早いために、電磁誘導での発生電圧は容易に計測することができないものであるが、本発明による落雷測定装置によれば、先に述べた本願に特有なＲＣ充電回路を用いているので、確実な雷サージ電流の測定と安定した性能とが期待できる。
【００２０】
また、導体−検出用コイル間の距離データが既に判っている場合やこれを確定できる場合においては、本発明による落雷測定装置の別の実施形態において、雷サージ電流を測定することができる。
この形態の落雷測定装置は、導体に近接され、前記導体に流れる落雷電流により生じる磁束の方向にコイル軸を向けた姿勢にして配設される落雷電流の検出コイルと、検出コイルに誘起される誘起起電力によるＲＣ充電回路の充電電圧を測定する手段と、得られた測定データと導体−検出用コイル間の既知の距離データとにより、導体に流れる落雷電流を演算することができる。
【００２１】
さて図３は、本発明による落雷測定装置の一実施形態を示す構成ブロック図である。
図３の落雷測定装置１００は、装置全体を制御するためのＣＰＵ１４(制御部)を備え、２つの落雷電流検出コイル(１５ａと１５ｂ)と、抵抗とコンデンサを含む充電回路を有した落雷電流検出回路１５などを用いて、雷サージ電流(落雷電流)の検出・測定などを行い、落雷に関する情報を取得することができる。また、ここでのＣＰＵ１４は、例えば、プログラムメモリやＲＡＭを有し、動作クロック４ＭＨｚ程度のスペックのものを用いることができ、時計用ＩＣ１７(ＲＴＣ)やメモリ部１８（ＥＥＰＲＯＭ）を参照して、落雷時の年月日や時刻(分秒)などのデータや落雷回数などのデータを取得し、これらのデータをメモリ部１８（ＥＥＰＲＯＭ）に記憶して保管するとともに、必要に応じてこれを取り出すことができる。
【００２２】
また、この図３の構成ブロック図における落雷測定装置１００は、２つの落雷電流検出コイル(１５ａと１５ｂ)の他に、落雷を単に感知するためのサーチコイル１６ａと落雷検出回路１６とを有しており、雷サージ電流が流れたかどうかを検出することができる。ここでの落雷検出回路１６は、落雷の有り無しの検出にあたっては、どのような大きさの落雷を感知すべきなのかについて、その感知する大きさを選択・調整する手段を備えており、その落雷感度の調整を、感度調整部１６ｋ(感度設定スイッチ)において行うことができる。さらに、落雷測定装置１００は、雷撃時の視覚的な報知または表示を行うために、ソレノイドを含む落雷表示駆動回路１２Ａと落雷表示１２ａ(表示バー)とを有しており、落雷があったことを知らせることができる。
【００２３】
落雷測定装置１００の落雷感度の調整については、図３の左上にある感度調整部１６ｋ(感度設定スイッチ)において、動作電流感度を設定することができる。例えば、サージ電流の大きさに応じてスイッチを段階別に切り替えるとすれば、一例として、「雷サージ電流の大きさが１６００Ａ以上のものを検出するにはスイッチ１、２４００Ａ以上はスイッチ２、３２００Ａ以上はスイッチ３、３６００Ａ以上はスイッチ４、５０５０Ａ以上はスイッチ５、８２５０Ａ以上はスイッチ６」のようにして、検出の感度を設定することができる。
【００２４】
本発明による落雷情報収集システムの主要な動作は、つぎのように行われる。
(１)落雷時刻および落雷電流データの記憶
(1-1)ＣＰＵは常時スリープモード(省電力モード)で動作する。
(1-2)鉄塔塔脚などの取り付け部位を流れる雷サージ電流が所定値以上であるとき、落雷検知回路が動作し、ＣＰＵが動作する。
(1-3)ＣＰＵは、落雷時の正確な時刻を内部時計から読み込むと同時に、落雷電流検出コイルに発生した誘起起電力によるＲＣ充電回路の充電電圧および回数をＥＥＰＲＯＭに記憶する。
(1-4)落雷表示のためのソレノイドを動作させて、落雷があったことを表示バーなどの表示物が視覚的に報知させる。
(1-5)ＣＰＵは再度スリープモード(省電力モード)で動作する。
【００２５】
(２)落雷データの取り出し・消去および時刻調整
(2-1)落雷データの有無は、落雷表示バーが落雷測定装置の本体下部に飛び出していることで確認する。
(2-2)落雷データの取り出しは、本落雷情報収集システム専用のデータ収集器を用いて行う。このデータ収集器は接続用ケーブルおよびコネクタを具備しており、落雷測定装置の
データ取り出しコネクタにこれを接続して、データの取り込みを行う。このとき、落雷測定装置の電源は、データ収集器より供給することができる。
(2-3)落雷測定装置の内部時刻の調整や内部に記憶された落雷データの消去は、データ収集器を用いて行う。
(2-4)動作後の落雷表示バーのリセットについては、表示バーを落雷測定装置の本体の下部から上方へ押し込んで戻すことにより行う。
【００２６】
図４は、落雷測定装置とデータ収集器とを備える本発明による落雷情報収集システムにおいて、その一実施形態にかかる動作フローチャートである。
この落雷情報収集システムにおいて、システムの動作を開始する(ステップ０１：Ｓ０１)と、落雷測定装置のＣＰＵの初期設定を行い(Ｓ０２)、ＣＰＵはスリープ状態(省電力モード)となる(Ｓ０３)。つぎに、外部割込みが発生したかどうかが判断され(Ｓ０４)、そこでＮｏの場合は「Ｓ０３(ＣＰＵスリープモード)」に戻るが、Ｙｅｓの場合には次のステップ「Ｓ０５」に進んで、落雷信号かどうかが判断される。
【００２７】
ステップ「Ｓ０５」で、落雷信号であると判断されたとき(Ｙｅｓの場合)は、「落雷測定電源ＯＮ(Ｓ０６)」から「１ｍｓＷＡＩＴ(Ｓ０７)」を経由して、その次のステップ(Ｓ０８)において、再び落雷信号であるかどうかが判断される。この「Ｓ０８」においてＮｏである場合には、「電圧放電ＯＮ(Ｓ２０)」→「１０ｍｓＷＡＩＴ(Ｓ２１)」→「「電圧放電ＯＦＦ(Ｓ２２)」→「落雷測定電源ＯＦＦ(Ｓ２３)」と経由して、「Ｓ０３(ＣＰＵスリープモード)」に戻ることとなる。
【００２８】
また「Ｓ０８」においてＹｅｓである場合には、「１ｍｓＷＡＩＴ(Ｓ０９)」から「落雷電流を測定し、８回のデータを取得してそれらを平均するステップ(Ｓ１０)」に進み、その次のステップ(Ｓ１１)において、「ＶＣ１−ＶＣ２」の値が所定電圧(ここでは0.02Ｖ)より小さいかどうかが判断される。
ここで、「ＶＣ１−ＶＣ２」の値が所定電圧より小さい(Ｙｅｓ)と判断された場合には、電流測定の対象となる導体を流れる電流以外の影響を受けていると判断して、その後の測定を行わないこととするので、そのときは、先のステップ「Ｓ２０」→「Ｓ２１」→「Ｓ２２」→「Ｓ２３」を経由して、「Ｓ０３(ＣＰＵスリープモード)」に戻る。
【００２９】
このステップ(Ｓ１１)で、「ＶＣ１−ＶＣ２」の値が、所定電圧より小さくない(Ｎｏ)と判断された場合には、その後、引き続いて測定を行うこととなる。そのときは、次のステップの「落雷電流放電(Ｓ１２)」から「落雷検知表示のソレノイドが動作(Ｓ１３)」へと進んで、その次のステップ「Ｓ１４」において、落雷回数が所定回数以下(ここでは５０回以下)であるかどうかが判断される。
【００３０】
ステップ「Ｓ１４」において、落雷回数が所定回数以下(ここでは５０回以下)である(Ｙｅｓ)と判断された場合には、次に、内部時計より時刻を読み込んで、落雷回数(＋１)を取得し(Ｓ１５)、さらに、メモリ(ＥＥＰＲＯＭ)へ落雷時刻・データを書き込んで(Ｓ１６)、次に、「３０ｍｓＷＡＩＴ(Ｓ１７)」→「電圧放電ＯＦＦ(Ｓ１８)」→「落雷測定電源ＯＦＦ(Ｓ１９)」と経由して、「Ｓ０３(ＣＰＵスリープモード)」に戻る。
また、ステップ「Ｓ１４」において、落雷回数が所定回数以下(ここでは５０回以下)ではない(Ｎｏ)と判断された場合には、「Ｓ１５」と「Ｓ１６」には進まず、「３０ｍｓＷＡＩＴ(Ｓ１７)」→「電圧放電ＯＦＦ(Ｓ１８)」→「落雷測定電源ＯＦＦ(Ｓ１９)」を経由して、「Ｓ０３(ＣＰＵスリープモード)」に戻る。
【００３１】
さて、ここで前のステップ(Ｓ０５)に戻って説明を続ける。外部割込みが発生して(Ｓ０４)、それが落雷信号であるかどうかが判断されるステップ「Ｓ０５」において、その外部割込みが落雷信号ではないとされたとき(Ｎｏの場合)には、続くステップ「Ｓ２４」において、データ収集からの要求であるのかどうかが判断される。ここで、Ｎｏである場合には、前のステップのＣＰＵスリープの状態「Ｓ０３」に戻ってしまうが、データ収集からの要求であるのと判断されたとき(Ｙｅｓの場合)には、先のステップ(Ｓ２５)へと進む。
【００３２】
このステップ「Ｓ２５」では、データの取り出しを行うかどうかの判断がなされ、データを取り出すとき(Ｙｅｓの場合)には、つぎのステップ「Ｓ２８」において、データ収集器へデータを送信し、その次に「データを消去する」かどうかが判断され(Ｓ２８)、データを消去する場合には、つぎのステップ「Ｓ３０」においてそれを実行してから、ＣＰＵスリープの状態「Ｓ０３」に戻る。また、消去しない場合には、すぐにＣＰＵスリープの状態「Ｓ０３」に戻る。
【００３３】
そして、このステップ「Ｓ２５」で、データを取り出さないとき(Ｎｏの場合)には、つぎのステップ「Ｓ２６」に進んで「時刻確認・修正」をするかどうかが判断される。Ｓ２６で「時刻確認・修正」をしない場合(Ｎｏの場合)には、すぐにＣＰＵスリープの状態「Ｓ０３」に戻るが、Ｓ２６で「時刻確認・修正」をする場合(Ｙｅｓの場合)には、つぎのステップ「Ｓ２７」においてそれを実行してから、ＣＰＵスリープの状態「Ｓ０３」に戻ることとなる。
【００３４】
図５は、本発明による落雷測定装置とデータ収集器とを備える落雷情報収集システムにおいて、その落雷電流検出の原理をより詳細に説明するための図である。図５中には、落雷電流が流れる導体Ｄ１と落雷測定装置が備える検出コイルＣ１とを示し、図５(１)は、導体Ｄ１と検出コイルＣ１とが配置された状態での平面図であり、図５(２)は、同じく側面図である。
【００３５】
図５の導体Ｄ１には落雷電流ｉが流れ、これを検出コイルＣ１で測定する。この検出コイルＣ１は、落雷電流の測定の対象となる導体Ｄ１に非接触で接近させて配設される。この検出コイルＣ１は、縦と横のｌ１×ｌ２の寸法の矩形形状であり、巻数はＮである。矩形形状の一辺を導体Ｄ１に平行とし、導体Ｄ１と一辺との距離がｒ１であり、コイル軸Ｃaが平行で導体Ｄ１の周囲に生じる磁束の方向と合致する姿勢とされる。なお、この図５において、ｒ１は導体Ｄ１の中心から検出コイルＣ１までの距離であるが、既知の値として設定することができる。
【００３６】
図５において、検出コイル１に発生するコイル発生電圧Ｖ１ は、つぎの［数１］で示される。
【００３７】
【数１】
0004757621.tif 000002
ここで、Ｎ：コイル巻数、μ０：真空の透磁率 ４π×１０−７、Ｉ：雷電流、である。
【００３８】
つぎに図６により、本発明による落雷情報収集システムの一実施形態について、その落雷電流検出の原理を説明する。ここでの落雷電流は導体Ｄ２を流れ、これを２つの検出コイル(Ｃ１１とＣ１２)を用いて測定する。落雷電流の測定の対象となる導体Ｄ２に非接触で接近させて第１検出コイルＣ１１と第２検出コイルＣ１２とが配設される。これらの第１検出コイルＣ１１と第２検出コイルＣ１２は、縦と横のｌ１×ｌ２の寸法が同じ矩形形状であるとともに同じ巻数Ｎである。しかも、矩形形状の一辺を導体Ｄ２に平行とし、導体Ｄ２との相対距離が所定寸法ｇだけずらされ、コイル軸Ｃa１とＣa２とが平行で導体Ｄ２の周囲に生じる磁束の方向と合致する姿勢とされる。なお、図において、ｒ１，ｒ２ は、導体Ｄ２の中心から第１検出コイルＣ１１と第２検出コイルＣ１２までの距離であるが、ここでは未知数である。
【００３９】
図６において、第１検出コイルＣ１１に生ずるコイル発生電圧Ｖ１ は、先に述べたように［数１］として示される。
また、第２検出コイルＣ１２に生ずるコイル発生電圧Ｖ２ は、同じく［数２］と示される。
【００４０】
【数２】
0004757621.tif 000003
ここで、Ｎ：コイル巻数、μ０：真空の透磁率 ４π×１０−７、Ｉ：雷電流、である。
【００４１】
そして、コイル発生電圧(Ｖ１ 、Ｖ２)による「Ｃの充電電圧(Ｖｃ１ 、Ｖｃ２)」は、次のように示される。
【００４２】
【数３】
0004757621.tif 000004
【００４３】
【数４】
0004757621.tif 000005
ここで、τ：ＲＣ回路の時定数、Τ：雷の立ち上がり時間、である。
【００４４】
そして、「Ｃの充電電圧(Ｖｃ１ 、Ｖｃ２)」と「コイル発生電圧(Ｖ１ 、Ｖ２)」とは次の数式５の関係にあるから、外挿法などによって「ｒ１ 」が求まる。
【００４５】
【数５】
0004757621.tif 000006
【００４６】
そして、ｄＩ／ｄｔ ＝ Ｉ０ ／Ｔ 、τ＞＞Ｔ、Ｉ０：落雷電流のピーク値、とすると、先の［数１］［数３］により、次のように表すことができる。
【００４７】
【数６】
0004757621.tif 000007
ここで、γ：回路特性による補正係数、とする。
【００４８】
本発明による落雷測定装置とデータ収集器とを備える落雷情報収集システムの一実施形態では、上記のようなコイルを配置した落雷電流測定の原理に基づいて行われ、２つのコイルをその用いた電流測定では、つぎのような手順で行われるとよい。
まず、データ収集器のマイクロコンピュータ等の演算処理部に、予め、各演算式および第１検出コイルＣ１１と第２検出コイルＣ１２等のデータｌ１，ｌ２，ｇ，Ｎ，μ０，等が設定される。
そして、落雷測定装置では、第１検出コイルＣ１１と第２検出コイルＣ１２を導体Ｄ２に近接して配置しておき、落雷電流が流れると、第１検出コイルＣ１１と第２検出コイルＣ１２に発生する誘導電圧(Ｖ１ 、Ｖ２)によるＣの充電電圧(Ｖｃ１ 、Ｖｃ２)を測定する。
データ収集器では、その得られた充電電圧(Ｖｃ１ 、Ｖｃ２)から、先の数式［数１］〜［数５］を用いて、導体Ｄ２と第１検出コイルＣ１１との間の距離「ｒ１ 」を演算により求め、さらに、落雷電流値「Ｉ０：ピーク値」を演算により求める。次に、この演算で求められた「ｒ１ 」「Ｉ０ 」などのデータを表示部で適宜に表示する。
【００４９】
さて、図７は、本発明の落雷情報収集システムによる落雷測定装置を用いて測定された落雷電流値と、従来型のロゴスキーコイルを用いて測定された落雷電流値とを、比較して示すデータ図である。ここでの落雷電流の測定は、各種大きさのＬ型アングル部材の取り付け箇所に、本発明による落雷測定装置とロゴスキーコイルによる従来型測定装置との２種類の装置を設置し、試験的に大きさを変えた落雷電流を多数回数流して、それらの落雷電流をその都度測定したものである。測定にあたっては、Ｌ型アングル部材はＬ６５／Ｌ１００／Ｌ１５０の３種類とし、電流測定値が１０００Ａ〜９０００Ａの範囲となるような設定で行った。
【００５０】
この図７を見れば明らかなように、本発明の落雷測定装置による落雷電流測定値と、ロゴスキーコイルによる従来型測定装置による落雷電流測定値とでは、両者のデータ間のばらつきや差異がほとんど見られず、直線的なグラフの関係として示され、両者がほぼ等しい測定電流値を得られることがわかった。
【００５１】
このように、本発明のような低コストで小型の落雷測定装置を用いても、大変高価で大型のロゴスキーコイルによる従来型測定装置とほぼ同等で、極めて正確なデータが得られることが判明した。
そして、図７のデータは、本発明の落雷測定装置において用いられている、コイル発生電圧によるコンデンサの充電電圧を測定することをベースにした測定の理論が、落雷電流の測定に好適であることを示すものである。
【００５２】
なお、上記の実施形態の説明にあっては、検出コイルに矩形コイルを用いた場合について説明したが、検出コイルとしてはこれに限られるものではなく、円形コイルや楕円形コイルや三角コイル等を検出コイルとして用いることができる。
また、本発明の落雷電流の測定では、２つのコイルの第１検出コイルと第２検出コイルの誘導起電力によるＲＣ充電回路の充電電圧の比から、第１検出コイルと導体との間の距離ｒ１を演算することを主に説明してきたが、検出コイルと導体との間の距離ｒが既知であるなら、［数１］〜［数６］から明らかなように、１つの検出コイルだけで落雷電流を測定することも可能である。
【００５３】
本発明の落雷情報収集システムによれば、落雷測定装置を落雷電流が流れる例えば送電鉄塔の塔脚に取り付けておくと、所定の大きさ以上の雷撃電流が塔脚を流れたときに、その雷撃電流の大きさおよび落雷があった正確な時刻などの落雷情報(データ)を記憶して保存しておくことができる。これら記憶された落雷データは、インターフェースコネクタを通してデータ収集器に取り出すことができ、そして、データ収集器に格納された落雷データを、さらに他の電子機器（パソコンなど）へ取り出すこともできる。
【００５４】
また、本発明の落雷情報収集システムによれば、空芯コイルによる電流センサの適用や回路構成の簡素化などによって落雷測定装置の単価を低コストのものとして提供できるため、落雷が起こりうる多数の落雷場所のそれぞれに落雷測定装置を設置することが可能となる。そして、多くの落雷測定装置から得られたデータをデータ収集器によって収集し、落雷データ(動作の有無・日時・回数・電流値など)の検討、落雷箇所の特定、履歴の管理、点検箇所の順位付け、点検時期の見極めなどが極めて容易にできるようになり、落雷に対する設備点検の効率化が大いに期待できる。
【図面の簡単な説明】
【００５５】
【図１】本発明による落雷情報収集システムの一実施形態にかかる図であり、本システムで用いられる発明落雷測定装置とデータ収集器とを示す図である。
【図２】本発明による落雷情報収集システムに用いられる落雷測定装置の動作原理を示すための概念図である。
【図３】本発明による落雷情報収集システムの一実施形態を示す構成ブロック図である。
【図４】本発明による落雷情報収集システムの一実施形態にかかる動作フローチャートである。
【図５】本発明による落雷情報収集システムの一実施形態において、その落雷電流検出の原理をより詳細に説明するための図である。
【図６】本発明による落雷情報収集システムの一実施形態について、その落雷電流検出の原理を説明するための図である。
【図７】本発明の落雷情報収集システムによる落雷測定装置を用いて測定された落雷電流測定データと、従来型のロゴスキーコイルを用いて測定された落雷電流測定データとを、比較して示すグラフ図である。
【符号の説明】
【００５６】
１００    落雷測定装置
２００    データ収集器
１０      本体部（ケース）
１２      表示物(表示バー)
１２Ａ    落雷表示駆動回路
１２ａ    落雷表示
１３      コネネクタ部(データ取り出し部)
１３ａ    保護体
１３ｂ    チェーン
１４      ＣＰＵ（制御部）
１５      落雷電流検出回路
１５ａ、１５ｂ    検出コイル
１６      落雷検出回路
１６ａ    サーチコイル
１６ｋ    感度調整部
１７      時計用ＩＣ
１８      メモリ部（ＥＥＰＲＯＭ）
２０      本体(筐体またはケース体)
２１      表示画面
２２      入力キー部
２３      接続ケーブル
２４      コネクタ部
３０      導体部材（取り付け部材）
３１      ベルト部材
Ｄ１、Ｄ２    導体
Ｃ１、Ｃ１１、Ｃ１２      検出コイル
Ｃa、Ｃa１ 、Ｃa２     コイルのコイル軸
ｒ、ｒ１ 、ｒ１２     雷サージ電流から検出コイルまでの距離
ｇ    ２つのコイルの距離(ギャップ)
【図１】
0004757621.tif 000008
【図２】
0004757621.tif 000009
【図３】
0004757621.tif 000010
【図４】
0004757621.tif 000011
【図５】
0004757621.tif 000012
【図６】
0004757621.tif 000013
【図７】
0004757621.tif 000014